【手続補正書】
【提出日】平成22年12月22日(2010.12.22)
【手続補正１】
【補正対象書類名】特許請求の範囲
【補正対象項目名】全文
【補正方法】変更
【補正の内容】
【特許請求の範囲】
【請求項１】
処理対象データを識別する第１の情報、前記処理対象データのデータ長を示す第２の情報、及び前記処理対象データにより構成される第１の構成データを記憶する情報記憶媒体を処理する媒体処理装置であって、
前記第１の情報、前記第２の情報、前記処理対象データの先頭から第１の位置までの非書込領域のデータ長を示す第３の情報、前記処理対象データの前記第１の位置から第２の位置までの書込領域のデータ長を示す第４の情報、及び前記書込領域に書き込む書込対象データにより構成される第２の構成データを含む書込コマンドを生成するコマンド生成手段と、
前記情報記憶媒体に記憶された前記第１の構成データに含まれる前記処理対象データの前記第１の位置から前記第２の位置までの前記書込領域に対して前記書込対象データを書き込むために、前記コマンド生成手段により生成された前記書込コマンドを前記情報記憶媒体に対して送信するコマンド送信手段と、
を備えたことを特徴とする媒体処理装置。
【請求項２】
処理対象データを識別する第１の情報、前記処理対象データのデータ長を示す第２の情報、及び前記処理対象データの順に構成される第１の構成データを記憶する情報記憶媒体を処理する媒体処理装置であって、
前記第１の情報、前記第２の情報、前記第１の情報の先頭から前記処理対象データの第１の位置までの非書込領域のデータ長を示す第３の情報、前記処理対象データの前記第１の位置から第２の位置までの書込領域のデータ長を示す第４の情報、及び前記書込領域に書き込む書込対象データにより構成される第２の構成データを含む書込コマンドを生成するコマンド生成手段と、
前記情報記憶媒体に記憶された前記第１の構成データに含まれる前記処理対象データの前記第１の位置から前記第２の位置までの前記書込領域に対して前記書込対象データを書き込むために、前記コマンド生成手段により生成された前記書込コマンドを前記情報記憶媒体に対して送信するコマンド送信手段と、
を備えたことを特徴とする媒体処理装置。
【請求項３】
処理対象データを識別する第１の情報、前記処理対象データのデータ長を示す第２の情報、及び前記処理対象データにより構成される第１の構成データを記憶する情報記憶媒体を処理する媒体処理装置であって、
前記第１の情報、前記第２の情報、前記処理対象データの先頭から第１の位置までの非読出領域のデータ長を示す第３の情報、及び前記処理対象データの前記第１の位置から第２の位置までの読出領域のデータ長を示す第４の情報により構成される第２の構成データを含む読出コマンドを生成するコマンド生成手段と、
前記情報記憶媒体に記憶された前記第１の構成データに含まれる前記処理対象データの前記第１の位置から前記第２の位置までの前記読出領域のデータを読み出すために、前記コマンド生成手段により生成された前記読出コマンドを前記情報記憶媒体に対して送信するコマンド送信手段と、
を備えたことを特徴とする媒体処理装置。
【請求項４】
処理対象データを識別する第１の情報、前記処理対象データのデータ長を示す第２の情報、及び前記処理対象データの順に構成される第１の構成データを記憶する情報記憶媒体を処理する媒体処理装置であって、
前記第１の情報、前記第２の情報、前記第１の情報の先頭から前記処理対象データの第１の位置までの非読出領域のデータ長を示す第３の情報、及び前記処理対象データの前記第１の位置から第２の位置までの読出領域のデータ長を示す第４の情報により構成される第２の構成データを含む読出コマンドを生成するコマンド生成手段と、
前記情報記憶媒体に記憶された前記第１の構成データに含まれる前記処理対象データの前記第１の位置から前記第２の位置までの前記読出領域のデータを読み出すために、前記コマンド生成手段により生成された前記読出コマンドを前記情報記憶媒体に対して送信するコマンド送信手段と、
を備えたことを特徴とする媒体処理装置。
【請求項５】
処理対象データを識別する第１の情報、前記処理対象データのデータ長を示す第２の情報、及び前記処理対象データにより構成される第１の構成データを記憶する記憶手段と、
前記第１の情報、前記第２の情報、前記処理対象データの先頭から第１の位置までの非書込領域のデータ長を示す第３の情報、前記処理対象データの前記第１の位置から第２の位置までの書込領域のデータ長を示す第４の情報、及び前記書込領域に書き込む書込対象データにより構成される第２の構成データを含む書込コマンドを受信するコマンド受信手段と、
前記コマンド受信手段により受信された前記書込コマンドに基づき、前記第１の情報により特定される前記記憶手段に記憶された前記第１の構成データに含まれる前記処理対象データの前記第１の位置から前記第２の位置までの前記書込領域に対して前記書込対象データを書き込む書込手段と、
を備えたことを特徴とする情報記憶媒体。
【請求項６】
処理対象データを識別する第１の情報、前記処理対象データのデータ長を示す第２の情報、及び前記処理対象データにより構成される第１の構成データを記憶する記憶手段と、
前記第１の情報、前記第２の情報、前記第１の情報の先頭から前記処理対象データの第１の位置までの非書込領域のデータ長を示す第３の情報、前記処理対象データの前記第１の位置から第２の位置までの書込領域のデータ長を示す第４の情報、及び前記書込領域に書き込む書込対象データにより構成される第２の構成データを含む書込コマンドを受信するコマンド受信手段と、
前記コマンド受信手段により受信された前記書込コマンドに基づき、前記第１の情報により特定される前記記憶手段に記憶された前記第１の構成データに含まれる前記処理対象データの前記第１の位置から前記第２の位置までの前記書込領域に対して前記書込対象データを書き込む書込手段と、
を備えたことを特徴とする情報記憶媒体。
【請求項７】
処理対象データを識別する第１の情報、前記処理対象データのデータ長を示す第２の情報、及び前記処理対象データにより構成される第１の構成データを記憶する記憶手段と、
前記第１の情報、前記第２の情報、前記処理対象データの先頭から第１の位置までの非読出領域のデータ長を示す第３の情報、及び前記処理対象データの前記第１の位置から第２の位置までの読出領域のデータ長を示す第４の情報により構成される第２の構成データを含む読出コマンドを受信するコマンド受信手段と、
前記コマンド受信手段により受信された前記読出コマンドに基づき、前記第１の情報により特定される前記記憶手段に記憶された前記第１の構成データに含まれる前記処理対象データの前記第１の位置から前記第２の位置までの前記読出領域からデータを読み出す読出手段と、
を備えたことを特徴とする情報記憶媒体。
【請求項８】
処理対象データを識別する第１の情報、前記処理対象データのデータ長を示す第２の情報、及び前記処理対象データの順に構成される第１の構成データを記憶する記憶手段と、
前記第１の情報、前記第２の情報、前記第１の情報の先頭から前記処理対象データの第１の位置までの非読出領域のデータ長を示す第３の情報、及び前記処理対象データの前記第１の位置から第２の位置までの読出領域のデータ長を示す第４の情報により構成される第２の構成データを含む読出コマンドを受信するコマンド受信手段と、
前記コマンド受信手段により受信された前記読出コマンドに基づき、前記第１の情報により特定される前記記憶手段に記憶された前記第１の構成データに含まれる前記処理対象データの前記第１の位置から前記第２の位置までの前記読出領域のデータを読み出す読出手段と、
を備えたことを特徴とする情報記憶媒体。
【請求項９】
処理対象データを識別する第１の情報、前記処理対象データのデータ長を示す第２の情報、及び前記処理対象データにより構成される第１の構成データを記憶する情報記憶媒体、及びこの情報記憶媒体を処理する媒体処理装置により構成される媒体処理システムであって、
前記媒体処理装置は、
前記第１の情報、前記第２の情報、前記処理対象データの先頭から第１の位置までの非書込領域のデータ長を示す第３の情報、前記処理対象データの前記第１の位置から第２の位置までの書込領域のデータ長を示す第４の情報、及び前記書込領域に書き込む書込対象データにより構成される第２の構成データを含む書込コマンドを生成するコマンド生成手段と、
前記情報記憶媒体に記憶された前記第１の構成データに含まれる前記処理対象データの前記第１の位置から前記第２の位置までの前記書込領域に対して前記書込対象データを書き込むために、前記コマンド生成手段により生成された前記書込コマンドを前記情報記憶媒体に対して送信するコマンド送信手段と、
を備え、
前記情報記憶媒体は、
前記第１の構成データを記憶する記憶手段と、
前記第２の構成データを含む前記書込コマンドを受信するコマンド受信手段と、
前記コマンド受信手段により受信された前記書込コマンドに基づき、前記第１の情報により特定される前記記憶手段に記憶された前記第１の構成データに含まれる前記処理対象データの前記第１の位置から前記第２の位置までの前記書込領域に対して前記書込対象データを書き込む書込手段と、
を備えたことを特徴とする媒体処理システム。
【請求項１０】
処理対象データを識別する第１の情報、前記処理対象データのデータ長を示す第２の情報、及び前記処理対象データにより構成される第１の構成データを記憶する情報記憶媒体、及びこの情報記憶媒体を処理する媒体処理装置により構成される媒体処理システムであって、
前記媒体処理装置は、
前記第１の情報、前記第２の情報、前記第１の情報の先頭から前記処理対象データの第１の位置までの非書込領域のデータ長を示す第３の情報、前記処理対象データの前記第１の位置から第２の位置までの書込領域のデータ長を示す第４の情報、及び前記書込領域に書き込む書込対象データにより構成される第２の構成データを含む書込コマンドを生成するコマンド生成手段と、
前記情報記憶媒体に記憶された前記第１の構成データに含まれる前記処理対象データの前記第１の位置から前記第２の位置までの前記書込領域に対して前記書込対象データを書き込むために、前記コマンド生成手段により生成された前記書込コマンドを前記情報記憶媒体に対して送信するコマンド送信手段と、
を備え、
前記情報記憶媒体は、
前記第１の構成データを記憶する記憶手段と、
前記第２の構成データを含む前記書込コマンドを受信するコマンド受信手段と、
前記コマンド受信手段により受信された前記書込コマンドに基づき、前記第１の情報により特定される前記記憶手段に記憶された前記第１の構成データに含まれる前記処理対象データの前記第１の位置から前記第２の位置までの前記書込領域に対して前記書込対象データを書き込む書込手段と、
を備えたことを特徴とする媒体処理システム。
【請求項１１】
処理対象データを識別する第１の情報、前記処理対象データのデータ長を示す第２の情報、及び前記処理対象データにより構成される第１の構成データを記憶する情報記憶媒体、及びこの情報記憶媒体を処理する媒体処理装置により構成される媒体処理システムであって、
前記媒体処理装置は、
前記第１の情報、前記第２の情報、前記処理対象データの先頭から第１の位置までの非読出領域のデータ長を示す第３の情報、及び前記処理対象データの前記第１の位置から第２の位置までの読出領域のデータ長を示す第４の情報により構成される第２の構成データを含む読出コマンドを生成するコマンド生成手段と、
前記情報記憶媒体に記憶された前記第１の構成データに含まれる前記処理対象データの前記第１の位置から前記第２の位置までの前記読出領域のデータを読み出すために、前記コマンド生成手段により生成された前記読出コマンドを前記情報記憶媒体に対して送信するコマンド送信手段と、
を備え、
前記情報記憶媒体は、
前記第１の構成データを記憶する記憶手段と、
前記第２の構成データを含む前記読出コマンドを受信するコマンド受信手段と、
前記コマンド受信手段により受信された前記読出コマンドに基づき、前記第１の情報により特定される前記記憶手段に記憶された前記第１の構成データに含まれる前記処理対象データの前記第１の位置から前記第２の位置までの前記読出領域からデータを読み出す読出手段と、
を備えたことを特徴とする媒体処理システム。
【請求項１２】
処理対象データを識別する第１の情報、前記処理対象データのデータ長を示す第２の情報、及び前記処理対象データにより構成される第１の構成データを記憶する情報記憶媒体、及びこの情報記憶媒体を処理する媒体処理装置により構成される媒体処理システムであって、
前記媒体処理装置は、
前記第１の情報、前記第２の情報、前記第１の情報の先頭から前記処理対象データの第１の位置までの非読出領域のデータ長を示す第３の情報、及び前記処理対象データの前記第１の位置から第２の位置までの読出領域のデータ長を示す第４の情報により構成される第２の構成データを含む読出コマンドを生成するコマンド生成手段と、
前記情報記憶媒体に記憶された前記第１の構成データに含まれる前記処理対象データの前記第１の位置から前記第２の位置までの前記読出領域のデータを読み出すために、前記コマンド生成手段により生成された前記読出コマンドを前記情報記憶媒体に対して送信するコマンド送信手段と、
を備え、
前記情報記憶媒体は、
前記第１の構成データを記憶する記憶手段と、
前記第２の構成データを含む読出コマンドを受信するコマンド受信手段と、
前記コマンド受信手段により受信された前記読出コマンドに基づき、前記第１の情報により特定される前記記憶手段に記憶された前記第１の構成データに含まれる前記処理対象データの前記第１の位置から前記第２の位置までの前記読出領域のデータを読み出す読出手段と、
を備えたことを特徴とする媒体処理システム。
【請求項１３】
処理対象データを識別する第１の情報、前記処理対象データのデータ長を示す第２の情報、及び前記処理対象データにより構成される第１の構成データを記憶する記憶手段と、
前記第１の情報、前記第２の情報、前記処理対象データの先頭から第１の位置までの非書込領域のデータ長を示す第３の情報、前記処理対象データの前記第１の位置から第２の位置までの書込領域のデータ長を示す第４の情報、及び前記書込領域に書き込む書込対象データにより構成される第２の構成データを含む書込コマンドを受信するコマンド受信手段と、
前記コマンド受信手段により受信された前記書込コマンドに基づき、前記第１の情報により特定される前記記憶手段に記憶された前記第１の構成データに含まれる前記処理対象データの前記第１の位置から前記第２の位置までの前記書込領域に対して前記書込対象データを書き込む書込手段と、
を備えたことを特徴とするＩＣチップ。
【請求項１４】
処理対象データを識別する第１の情報、前記処理対象データのデータ長を示す第２の情報、及び前記処理対象データにより構成される第１の構成データを記憶する記憶手段と、
前記第１の情報、前記第２の情報、前記第１の情報の先頭から前記処理対象データの第１の位置までの非書込領域のデータ長を示す第３の情報、前記処理対象データの前記第１の位置から第２の位置までの書込領域のデータ長を示す第４の情報、及び前記書込領域に書き込む書込対象データにより構成される第２の構成データを含む書込コマンドを受信するコマンド受信手段と、
前記コマンド受信手段により受信された前記書込コマンドに基づき、前記第１の情報により特定される前記記憶手段に記憶された前記第１の構成データに含まれる前記処理対象データの前記第１の位置から前記第２の位置までの前記書込領域に対して前記書込対象データを書き込む書込手段と、
を備えたことを特徴とするＩＣチップ。
【請求項１５】
処理対象データを識別する第１の情報、前記処理対象データのデータ長を示す第２の情報、及び前記処理対象データにより構成される第１の構成データを記憶する記憶手段と、
前記第１の情報、前記第２の情報、前記処理対象データの先頭から第１の位置までの非読出領域のデータ長を示す第３の情報、及び前記処理対象データの前記第１の位置から第２の位置までの読出領域のデータ長を示す第４の情報により構成される第２の構成データを含む読出コマンドを受信するコマンド受信手段と、
前記コマンド受信手段により受信された前記読出コマンドに基づき、前記第１の情報により特定される前記記憶手段に記憶された前記第１の構成データに含まれる前記処理対象データの前記第１の位置から前記第２の位置までの前記読出領域からデータを読み出す読出手段と、
を備えたことを特徴とするＩＣチップ。
【請求項１６】
処理対象データを識別する第１の情報、前記処理対象データのデータ長を示す第２の情報、及び前記処理対象データの順に構成される第１の構成データを記憶する記憶手段と、
前記第１の情報、前記第２の情報、前記第１の情報の先頭から前記処理対象データの第１の位置までの非読出領域のデータ長を示す第３の情報、及び前記処理対象データの前記第１の位置から第２の位置までの読出領域のデータ長を示す第４の情報により構成される第２の構成データを含む読出コマンドを受信するコマンド受信手段と、
前記コマンド受信手段により受信された前記読出コマンドに基づき、前記第１の情報により特定される前記記憶手段に記憶された前記第１の構成データに含まれる前記処理対象データの前記第１の位置から前記第２の位置までの前記読出領域のデータを読み出す読出手段と、
を備えたことを特徴とするＩＣチップ。